(57)【要約】      （修正有）【課題】内側または外側に手をひねらずに手をぶら下げた状態で、ハンドルを握り引き転がすことのできるキャリーバッグを提供する。【解決手段】キャリーバッグのハンドルの上部・中央部に第２のハンドル６を取り付け、ハンドルを引き伸ばした後に第２のハンドルを回転させ固定するか、回転フリーの状態として、手で握る構造としてキャリーバッグを構成する。【選択図】図２
0003162203.tif 000002
【実用新案登録請求の範囲】
【請求項１】
キャリーバッグ（１）の従来のハンドル（４）の上部中央に留め具（７，７’）により第２のハンドル（６）を取り付け、この第２のハンドル（６）を従来のハンドル（４）に対し、９０度または自然に手をぶらさげた状態で手をひねらずに握れる角度に固定できるようにしたキャリーバッグの構造。
【請求項２】
キャリーバッグ（１）の従来のハンドル（４）の上部中央に留め具（７，７’）により第２のハンドル（６）を取り付け、この第２のハンドル（６）が従来のハンドル（４）に対し角度を固定せず、手で握ったときの自然状態に追随できるようフリーに回転できるようにしたキャリーバッグの構造。
【請求項３】
キャリーバッグ（１）の従来のハンドル（４）上部中央にフック（１０，１０’）により着脱可能な第２のハンドル（９）を取り付け、この着脱可能な第２のハンドル（９）を従来のハンドル（４）に対し、９０度または自然に手をぶらさげた状態で手をひねらずに握れる角度に固定できるようにしたキャリーバッグの構造。
【請求項４】
キャリーバッグ（１）の従来のハンドル（４）上部中央にフック（１０，１０’）により着脱可能な第２のハンドル（９）を取り付け、この第２のハンドル（６）が従来のハンドル（４）に対し角度を固定せず、手で握ったときの自然状態に追随できるようフリーに回転できるようにしたキャリーバッグの構造。
【請求項５】
キャリーバッグ（１）の従来のハンドル（４）の上部中央に紐（１３，１３’）を結び、棒状物（１２）の両端を紐（１３，１３’）で結び繋げたキャリーバッグの構造。
【考案の詳細な説明】
【技術分野】
【０００１】  本考案はハンドル付きキャリーバッグに係わる。
【背景技術】
【０００２】  旅行などに使用されるキャリーバッグはバッグの底面にキャスターを取り付けて運びやすいように構成されている。キャスターは通常一対からなり、バッグの底の一方側に取り付けられ、バッグを運ぶ際には、キャスターを支点としてバッグを傾けハンドル部を引き伸ばしハンドルを手で握って引き転がす。また、バッグの底の他方側には脚部材が取り付けられており、転がさない場合にはキャスターとこの脚部材とで、キャリーバッグを床面に起立状態に保持できる構造になっている。
【考案の概要】
【考案が解決しようとする課題】
【０００３】  前期の従来公知の傾け引き転がして運ぶキャリーバッグのハンドルの手で握る部分は水平で進行方向の左右に広がるものであった。【０００４】  ハンドルが進行方向の左右に広がる構造のため、自然に手をぶらさげた状態より、内向けまたは外向けに９０度手のひらをひねって握る必要があった。【０００５】  ９０度手をひねった状態でハンドルを握り、キャリーバッグを長時間ひき転がすと苦痛になり、時々ひねりの内向け、外向けを交換したり、休んだりする必要があった。本考案は、これらの問題点を解決したキャリーバッグを提供するものである。
【課題を解決するための手段】
【０００６】  本考案は従来のハンドルの上部に第２のハンドルを重ねて設け、ハンドルを引き伸ばした後に第２のハンドルを回転可能とし、従来のハンドルに対し９０度または、手をひねらずに握れる角度で固定できる構造としたものである。【０００７】  前記に於いて、回転可能とし角度を固定せず、手の握りの自然状態に追随するようフリーの状態にしたものである。【０００８】  本考案は従来のハンドルを引き伸ばした後にこのハンドルに対し９０度、または手をひねらずに握れる角度の着脱可能な第２のハンドルを中央部に取り付けたものである。【０００９】  前記において、回転可能とし角度を固定せず、手の握りの自然状態に追随するようフリーの状態にしたものである。【００１０】  本考案は、従来のハンドルを引き伸ばした後に、棒状物の両端を紐で結びこの両端より伸びた２本の紐をハンドルの中央部で結んだものである。この２本の紐および棒状物は手の握りに追随する第２のハンドルの役割を果たすものである。
【考案の効果】
【００１１】  本考案のキャリーバッグのハンドルの構造によれば、腕および手を自然にぶらさげた状態でハンドルを握ることができ、従来の手を内側または外側に約９０度ひねることによる苦痛、違和感、疲労等を解消することが出来た。
【考案を実施するための形態】
【００１２】  以下本考案のキャリーバッグの構造について図面に示す実施例に基ずいて具体的に説明する。
【００１３】  図１は本考案に係わるキャリーバッグで、ハンドルを伸ばした状態の従来品の外観斜視図である。
【００１４】  図２は本考案の実施例を示すものである。
（ａ）は従来のハンドルの上部に第２のハンドルを取り付けたものであり、ハンドルを押し込んだ状態および引き伸ばしたままの状態をあらわす。
（ｂ）は第２のハンドルを握ってキャリーバッグを引き転がす際に従来のハンドルに対し９０度曲げ固定した状態をあらわす。
【００１５】  図３は本考案の次の実施例を示すものである。
（ｃ）は従来のハンドルに着脱可能な第２のハンドルをあらわす。
（ｄ）は第２のハンドルを従来のハンドルに取り付けたもので、従来のハンドルに対し９０度曲げ固定した状態をあらわす。
着脱用のフックの取り付け方法は、ねじ止め方式、引き違い窓の締め付け金具、かばん（トランク）のふた締め付け金具などの方式が採用可能である。
また取り付けの安定性向上のためフック内側に、弾力性のあるゴム、スポンジなどを貼り付けるのも有用である。
【００１６】  図４は棒状物の両端とハンドルの中央部を紐で結んだ状態をあらわす。棒状物の両端を紐で結ぶ代わりにパイプ状棒状物を使用し、パイプ内に紐を通す方法も有用である。
【図面の簡単な説明】
【００１７】
【図１】は本願考案に係わるキャリーバッグの従来品の外観斜視図である。
【図２】は従来のハンドルの上部に本願考案の第２のハンドルを取り付け拡大した外観斜視図であり、（ａ）はハンドルを押仕込んだ状態または引き伸ばしたままの状態、（ｂ）はハンドルを引き伸ばした後に従来のハンドルに対し、第２のハンドルを９０度曲げ固定した状態をあらわす。
【図３】（ｃ）は着脱可能な第２のハンドルの拡大した外観斜視図をあらわし、（ｄ）は第２のハンドルを従来のハンドルに９０度曲げた状態で取り付けた拡大した外観斜視図をあらわす。
【図４】は従来のハンドルの中央部と棒状物の両端を紐で結んだ、拡大した外観斜視図をあらわす。
【符号の説明】１・・・・・・・キャリーバッグ本体
２、２’・・・・キャスター
３、３’・・・・脚部
４・・・・・・・ハンドル
５・・・・・・・従来のハンドルの手で握る部分
６・・・・・・・第２のハンドル
７、７’・・・・留め具
８・・・・・・・９０度曲げ固定された第２のハンドル
９・・・・・・・着脱可能な第２のハンドル
１０、１０’・・フック
１１・・・・・・９０度曲げた状態にフックにより取り付けられた第２のハンドル
１２・・・・・・棒状物
１３、１３’・・紐
【図１】
0003162203.tif 000003
【図２】
0003162203.tif 000004
【図３】
0003162203.tif 000005
【図４】
0003162203.tif 000006